(57)【要約】【課題】作業計画、農作業を行ったことを示す農作業の開始及び終了、農作業データを簡単に携帯端末に記憶することができるようにする。【解決手段】農業管理支援システム１は、農業機械２が農作業を行ったときの農作業データを収集するデータ収集部３と、データ収集部３で収集した農作業データを送信する第１通信部３１と、農作業を行う作業者が所持する携帯端末４とを備え、携帯端末４は、第１通信部３１から送信した農作業データを受信する第２通信部４１と、農作業の開始及び終了を指定する作業指定部４５と、農作業の作業計画を入力する計画入力部４８と、第２通信部４１が受信した農作業データ、作業指定部４５によって指定された農作業の開始及び終了、計画入力部に入力された作業計画を記憶する記憶部４３とを備えている。【選択図】図１
2014199516.tif 000002
【特許請求の範囲】
【請求項１】
農業機械が農作業を行ったときの農作業データを収集するデータ収集部と、データ収集部で収集した農作業データを送信する第１通信部と、前記農作業を行う作業者が所持する携帯端末とを備え、
前記携帯端末は、
前記第１通信部から送信した農作業データを受信する第２通信部と、
農作業の開始及び終了を指定する作業指定部と、
農作業の作業計画を入力する計画入力部と、
前記第２通信部が受信した農作業データ、作業指定部によって指定された農作業の開始及び終了、前記計画入力部に入力された作業計画を記憶する記憶部と、
を備えていることを特徴とする農業管理支援システム。
【請求項２】
前記携帯端末は、農作業データ、農作業の開始及び終了、作業計画に基づいて作業報告書を作成する報告書作成部を有していることを特徴とする請求項１に記載の農業管理支援システム。
【請求項３】
農業機械が農作業を行ったときの農作業データを収集するデータ収集部と、データ収集部で収集した農作業データを送信する第１通信部と、前記農作業を行う作業者が所持する携帯端末とを備え、
前記携帯端末は、
農作業の開始及び終了を指定する作業指定部と、
前記第２通信部から送信された農作業データを受信すると共に、受信した農作業データ、農作業の開始及び終了を設置型コンピュータに送信する第２通信部とを備え、
前記設置型コンピュータは、
農作業の作業計画を入力する計画入力部と、
前記携帯端末の通信部から送信された農作業データ、農作業の開始及び終了を、前記計画入力部に入力された作業計画と共に記憶する記憶部と、
を備えていることを特徴とする農業管理支援システム。
【請求項４】
前記設置型コンピュータは、農作業データ、農作業の開始及び終了、作業計画に基づいて作業報告書を作成する報告書作成部を有していることを特徴とする請求項３に記載の農業管理支援システム。
【請求項５】
前記携帯端末は、測位衛星からの信号に基づいて作業位置を検出する位置検出部を備えていることを特徴とする請求項１〜４のいずれかに記載の農業管理支援システム。
【発明の詳細な説明】
【技術分野】
【０００１】
本発明は、例えば、農作業を管理することができる農業管理支援システムに関する。
【背景技術】
【０００２】
近年、圃場などの作業場で作業を行う作業者（農作業者）の作業を把握したいという要望が高まってきている。作業者の動きから作業を把握しようとする技術として、特許文献１に示すものがある。
特許文献１では、作業者の位置および作業者の動きに関する動きデータを取得する行動記録データ取得部と、行動記録データ取得部によって取得された前記作業者の位置に応じて、作業者が作業を行っている圃場候補を選択する圃場候補選択部と、行動記録データ取得部によって取得された作業者の動きデータから特徴量を抽出する特徴量抽出部と、特徴量抽出部によって抽出された特徴量を用いて、前記作業者が行った作業種別を特定する作業種別特定部と、作業種別特定部によって特定された作業種別に基づいて、圃場候補選択部によって選択された前記圃場候補のなかから前記作業者が作業を行った圃場を特定する圃場特定部と、作業種別特定部によって特定された作業種別と、圃場特定部によって特定された圃場とを対応付けて作業記録として記録する作業記録部とを備えている。
【先行技術文献】
【特許文献】
【０００３】
【特許文献１】特開２０１０−１６１９９１号公報
【発明の概要】
【発明が解決しようとする課題】
【０００４】
即ち、特許文献１は、作業者の位置や動きに関するデータを用いて圃場を特定して、特定した圃場と、作業とを関連付けることにより作業記録を付けようとするものである。しかしながら、特許文献１の技術を用いたとしても、作業者が出勤してから退勤するまでの記録を正確に把握することが難しいのが実情である。また、農業機械で農作業を行った記録を把握するこも難しいのが実情である。
【０００５】
そこで本発明は、上記問題に鑑み、作業計画、農作業を行ったことを示す農作業の開始及び終了、農作業データを簡単に携帯端末に記憶することができる農業管理支援システムを提供することを目的とする。
【課題を解決するための手段】
【０００６】
前記目的を達成するために、本発明は、次の手段を講じた。
即ち、請求項１に係る農業管理支援システムは、農業機械が農作業を行ったときの農作業データを収集するデータ収集部と、データ収集部で収集した農作業データを送信する第１通信部と、前記農作業を行う作業者が所持する携帯端末とを備え、前記携帯端末は、前記第１通信部から送信した農作業データを受信する第２通信部と、農作業の開始及び終了を指定する作業指定部と、農作業の作業計画を入力する計画入力部と、前記第２通信部が受信した農作業データ、作業指定部によって指定された農作業の開始及び終了、前記計画入力部に入力された作業計画を記憶する記憶部と、を備えていることを特徴とする。
【０００７】
請求項２に係る農業管理支援システムは、前記携帯端末は、農作業データ、農作業の開始及び終了、作業計画に基づいて作業報告書を作成する報告書作成部を有していることを特徴とする。
請求項３に係る農業管理支援システムは、農業機械が農作業を行ったときの農作業データを収集するデータ収集部と、データ収集部で収集した農作業データを送信する第１通信部と、前記農作業を行う作業者が所持する携帯端末とを備え、前記携帯端末は、農作業の開始及び終了を指定する作業指定部と、前記第２通信部から送信された農作業データを受信すると共に、受信した農作業データ、農作業の開始及び終了を設置型コンピュータに送信する第２通信部とを備え、前記設置型コンピュータは、農作業の作業計画を入力する計画入力部と、前記携帯端末の通信部から送信された農作業データ、農作業の開始及び終了を、前記計画入力部に入力された作業計画と共に記憶する記憶部と、を備えていることを
特徴とする。
【０００８】
請求項４に係る農業管理支援システムの前記設置型コンピュータは、農作業データ、農作業の開始及び終了、作業計画に基づいて作業報告書を作成する報告書作成部を有していることを特徴とする。
請求項５に係る農業管理支援システムの前記携帯端末は、測位衛星からの信号に基づいて作業位置を検出する位置検出部を備えていることを特徴とする。
【発明の効果】
【０００９】
請求項１に係る発明によれば、例えば、携帯端末を用いて農作業を行う圃場の近くで作業計画を立案することができる。また、立案した作業計画、実際に農作業を行ったことを示す農作業の開始及び終了、農作業時の農作業データを、携帯端末に記憶（保存）することができる。
請求項２に係る発明によれば、作業者が農作業時に所持する携帯端末によって簡単に作業報告書を作成することができる。例えば、作業者は、農作業を行う圃場の近くで農作業が終わった後に直ぐに作業報告書を作成することができる。
【００１０】
請求項３に係る発明によれば、例えば、設置型コンピュータを用いて作業者の自宅などで作業計画を立案することができる。また、また、立案した作業計画、実際に農作業を行ったことを示す農作業の開始及び終了、農作業時の農作業データを、携帯端末を介して携帯端末に保存することができる。
請求項４に係る発明によれば、例えば、農作業時には、農作業の開始及び終了、農作業データを携帯端末で取得し、農作業後に、農作業の開始及び終了、農作業データを設置型コンピュータに送信することにより、設置型コンピュータによって簡単に作業報告書を作成することができる。
【００１１】
請求項５に係る発明によれば、農作業時の作業者の位置を携帯端末によって簡単に取得することができる。
【図面の簡単な説明】
【００１２】
【図１】第１実施形態における農業管理支援システムの全体図である。
【図２】作業計画画面による作業計画立案の説明図である。
【図３】作業開始時刻及び作業終了時刻の設定の説明図である。
【図４】作業計画画面に作業開始時刻及び作業終了時刻を設定するボタンを示した図である。
【図５】農作業の状況を説明する説明図である。
【図６】農業作業時における携帯端末及びデータ収集装置の動作を示す図である。
【図７】作業計画から作業報告書を作成する説明図である。
【図８】第２実施形態における農業管理支援システムの全体図である。
【図９】農業作業時における携帯端末及びデータ収集装置の動作を示す図である。
【図１０】農業管理支援システムの変形例を示す図である。
【図１１】トラクタの全体構成を示す概略図である。
【発明を実施するための形態】
【００１３】
以下に、図面を参照しながら、本発明の実施形態による農業管理支援システムを説明する。時刻とは、「時」、「分」、「秒」の少なくとも１つを用いて時の一点を指すものであるが、「年」、「月」、「日」を用いて時を指し示すものであってもよい。
［第１実施形態］
本発明の農業管理支援システムは、圃場において農作業を行った農作業データを管理することができるシステムである。
【００１４】
本発明の農業管理支援システムは、圃場において行った農作業を管理することができるものである。具体的には、農業管理支援システム１は、トラクタ、コンバイン、田植機などの農業機械が農作業を行ったときの農作業データを収集し、収集した農作業データを携帯端末等に送信することにより、農作業データを携帯端末等に記憶することができる。
図１に示すように、農業管理支援システム１は、農業機械２に搭載されたデータ収集装置（データ収集部）３と、作業者が農作業のときに所持する携帯端末４とを備えている。
【００１５】
データ収集装置３は、農業機械２が稼働したときの農作業データを収集するもので、例えば、農業機械の負荷情報（速度、エンジン回転数）、施肥量、収穫量などの農作業に関するデータを、農作業データとして収集する。なお、農作業データとして収集する内容（項目）は、予めデータ収集装置３等に設定されている。
データ収集装置３は、無線通信を行う通信装置（第１通信部）３１を備えている。この通信装置３１は、例えば、通信規格であるＩＥＥＥ８０２．１１シリーズのＷｉ-Ｆｉ（登録商標）などの無線通信を行うことができる。そのため、このデータ収集装置３では、農作業時に農業機械２から出力された農作業データを取得して、Ｗｉ-Ｆｉによる無線通信によって収集した農作業データを携帯端末４に送信することができる。なお、携帯端末４とデータ収集装置３（通信装置３１）との無線通信の通信距離は近距離であって、例えば、０〜２０ｍの範囲に設定されている（通信距離の最大値が２０ｍ）。
【００１６】
データ収集装置３の通信装置３１は、農業機械２を特定（識別）するための作業機特定情報を送信することが望ましい。作業機特定情報は、農業機械などの作業を行う作業機を特定するものであればどのようなものであってもよく、例えば、製造番号、機種、型式番号等である。このように作業機特定情報を農作業データと共に送信するようにすれば、どの農業機械２の農作業データであるかを識別することができる。
【００１７】
携帯端末４は、例えば、比較的演算能力の高いスマートフォン（多機能携帯電話）やタブレットＰＣ等の携帯型コンピュータなどである。この携帯端末４は、農作業時に作業者が所持することにより、農作業における様々な補助（サポート）を行うものある。
具体的には、携帯端末４は、記憶部４３と、表示部４６と、計画入力部４８とを備えている。
【００１８】
計画入力部４８は、農作業の作業計画を立てるものであって、農業支援ソフトウェア等を動作させるプログラム等から構成されている。計画入力部４８は、農業支援ソフトウェアを起動させると、液晶やタッチパネル等から構成された表示部４６に、作業計画画面Ｎを表示する。
図２は、表示部４６に表示された作業計画画面Ｎの一例を示している。
【００１９】
図２に示すように、作業計画画面Ｎは、例えば、農作業を行う日付を入力する日付入力部Ｎ１、農作業を行う圃場（圃場名）を入力する圃場入力部Ｎ２、農作業を行う農業機械の有無を入力する機械入力部Ｎ３、例えば、代掻き、田植え、耕耘などの作業項目を入力する作業項目入力部Ｎ４を備えている。
作業計画画面Ｎにおいて、日付、圃場、農作業を行う農業機械の有無、作業項目の入力は、タッチパネル、キーボード、マウス等の入力インターフェースを用いて行うことができる。また、作業計画の入力項目（日付、圃場、農業機械の有無、作業項目）に入力する内容は、直接、入力インターフェースを用いて入力してもよいし、予め各入力項目から選択できる内容を携帯端末４に登録しておき、プルアップやプルダウンメニュー等によって選択してもよい。
【００２０】
日付入力部Ｎ１、圃場入力部Ｎ２、機械入力部Ｎ３、作業項目入力部Ｎ４のそれぞれに、日付、圃場、農業機械の有無、作業項目が入力された後、作業計画画面Ｎに表示された登録ボタンが選択されると、計画入力部４８は、日付、圃場、農業機械の有無、作業項目の作業計画を、作業計画のデータとして記憶する。
このように、携帯端末４を用いれば、例えば、農作業を行う圃場の近くで作業計画を立てることができる。即ち、農作業を行う圃場（現場）を見た上で、当該圃場で行う作業計画をたてることができる。なお、作業計画を立てるための項目数、内容、入力方法等は上述したものに限定されない。
【００２１】
携帯端末４の記憶部４３は、計画入力部４８によって立てられた作業計画のデータを記憶する。また、記憶部４３は、携帯端末４、即ち、携帯端末４を所持する作業者を特定するための作業者特定情報（例えば、電話番号、固有ＩＤ番号など）する。さらに、記憶部４３は、データ収集装置３から送信された農作業データ等の作業機側情報も記憶する。
さて、携帯端末４は、記憶部４３、表示部４６及び計画入力部４８の他に、計時部４４と、作業指定部４５とを備えている。
【００２２】
計時部４４は、時刻を算出するもので、作業指定部４５は、農作業の開始及び終了を指定するものである。詳しくは、作業指定部４５は、図３に示すように、携帯端末４の表示部４６の作業確認画面Ｓに表示された開始ボタン４７ａの選択時に時計部４４が指し示した時刻を、作業開始時刻とする。また、作業指定部４５は、表示部４６に表示された終了ボタン４７ｂの選択時に時計部４４が算出していた時刻を、作業終了時刻とする。これら作業開始時刻や作業終了時刻は、記憶部４３に記憶される。
【００２３】
作業計画のデータが記憶部４３に入力された状況下において、開始ボタン４７ａが押されると、携帯端末４は、作業計画通りに農作業が開始された判断する。また、終了ボタン４７ａが押されると、携帯端末４は、作業計画通りに農作業が終了したと判断する。即ち、作業計画が立てられた状況下で、開始ボタン４７ａ及び終了ボタン４７ｂを入力することにより、携帯端末４は、予め立てられた作業計画が予定通り遂行されたか否かの確認を行うことが可能となる。言い換えれば、作業指定部４５によって作業開始時刻や作業終了時刻が得られるだけでなく、当該作業指定部４５は、作業計画通りに農作業を行ったか否かの確認手段にもなる。
【００２４】
上述した実施形態では、作業計画を入力する作業計画画面Ｎと、作業確認画面Ｓとを別々に表示していたが、図４の示すように、作業計画画面Ｎと作業確認画面Ｓとを同一画面に表示させたうえで、この画面上で、作業計画の入力と、作業開始時刻及び作業終了時刻の入力とを行えるようにしてもよい。
さらに、携帯端末４は、無線通信を行う通信装置（第２通信部）４１を備えている。この通信装置４１は、例えば、通信規格であるＩＥＥＥ８０２．１１シリーズのＷｉ-Ｆｉ（登録商標）などの無線通信を行ったり、移動体通信網（例えば、携帯電話通信網）による無線通信を行う。
【００２５】
以上のことにより、農業管理支援システム１においては、データ収集装置３によって農作業データを収集することができる。また、データ収集装置３の通信装置（第１通信部）３１によって、農作業データ等を携帯端末４に送信することができる。一方、携帯端末４側では、通信装置（第２通信部）４１によって、データ収集装置３から送信された農作業データ等を受信することができる。携帯端末４の計画入力部４８によって作業計画を入力することができる。また、作業指定部４５によって、作業開始時刻や作業終了時刻を得ることができると共に、作業計画を遂行したか否かの確認も行うことができる。
【００２６】
つまり、農業管理支援システム１では、農作業データの取得、農業計画の立案、農作業の作業開始や作業終了を取得することができるため、簡単に作業報告書（作業報告書）等を作成することができる。
以下、農業管理支援システム１について、農業機械２としてトラクタを例にあげ、さらに、詳しく説明する。
【００２７】
図１１に示すように、トラクタ２は、前後に車輪が取り付けられた走行車両（走行車体）１０に、エンジン１１、変速装置１２等を搭載して構成されている。エンジン１１の後方には、独立搭載型のキャビン１３が設けられており、キャビン１３内には運転席１４が設けられている。また、走行車両１０の後部には、３点リンク機構１５が昇降可能に設けられると共に、エンジン１１からの動力を伝達するＰＴＯ軸が設けられている。３点リンク機構１５には、肥料散布装置、耕耘装置、農薬散布装置、播種散布装置、収穫装置などの作業装置１６が着脱自在となっている。なお、図１１は、肥料散布装置を３点リンク機構１５に取り付けた例を示している。
【００２８】
図１に示すように、トラクタ２には、データ収集装置３の他に、制御装置８が搭載されている。この制御装置８は、トラクタ２の走行系制御や作業系制御等を行うものであって、走行系制御として、エンジンの動作を制御したり、作業系制御として、運転席の周囲に設けられた操作レバーや操作スイッチなどの操作具からの入力を受けると、入力値に従って３点リンク機構１５の昇降、ＰＴＯ軸の出力（回転数）などの動作を制御する。トラクタ２の走行系制御や作業系制御を行うときの制御信号や制御を行うための各種検出信号（例えば、センサが検出した信号）は、車両用通信ネットワークに出力されて、トラクタ２の各部に伝達される。なお、制御装置８による走行系制御や作業系制御は、上述したもの
に限定されない。
【００２９】
データ収集装置３は、トラクタ２が動作しているときの農作業に関する様々なデータを各種センサや制御装置８等が接続された車両用ネットワーク等を介して自動的に収集する。例えば、トラクタ２の後部に作業装置１６として耕耘装置が連結されてトラクタ２が動作したときは、ロータリーの回転数、ロータリーの負荷、エンジン回転数、車速、耕深などのデータが車両用通信ネットワークに出力される。データ収集装置３は、ロータリーの回転数、ロータリーの負荷、エンジン回転数、車速、耕深などを農作業データとして取得する。
【００３０】
また、作業装置１６が肥料散布装置、農薬散布装置、播種散布装置である場合は、車速、エンジン回転数、散布量（肥料散布量、農薬散布量、播種散布量）などのデータが車両通信ネットワーク上に出力され、データ収集装置３は、車速、エンジン回転数、肥料散布量（施肥量）、農薬散布量、播種散布量を農作業データとして取得する。或いは、作業装置１６が収穫装置である場合は、車速、エンジン回転数、収穫量などのデータが車両通信ネットワーク上に出力され、データ収集装置３は、車速、エンジン回転数、収穫量を農作業データとして取得する。なお、この他に、農作業データは、コンバインであるときは、例えば、刈り取りクラッチのＯＮ又はＯＦＦ、田植機であるときは、植え付けクラッチのＯＮ又はＯＦＦ、トラクタであるときは、ＰＴＯ軸の出力（回転数）、３点リンク機構１５の昇降の高さなどである。また、農作業データは、農業機械２が稼働しているかしていないかを示す稼働フラグであってもよい。
【００３１】
また、データ収集装置３は、様々な情報を一時的に記憶する記憶部（バッファ）３３を備えている。この記憶部３３には、農作業データ、作業機特定情報が記憶される。農作業データは、トラクタ２が移動する毎、又は、トラクタ２が動作する毎に、逐次、記憶部３３に記憶される。また、データ収集装置３は、時間を計時する計時部３４が設けられている。農作業データの検出時に計時部３４が計時した時間を、データ検出時間として記憶部３３に記憶する。なお、計時部３４で計時する時間は、トラクタ２が稼働した稼働時間を累積した稼働累積時間（アワメータ）であってもよいし、時刻（暦、月、日、時、分、秒）であってもよいし、経過時間をカウントアップしたカウンタの数値であってもよい。
【００３２】
まとめると、記憶部３３には、作業機側情報（農作業データ、作業機特定情報及びデータ検出時間）が記憶される。
データ収集装置３の通信装置３１は、携帯端末４（通信装置４１）に対して認証情報（例えば、ＳＳＩＤなどのネットワーク名）を含むビーコンを出力する。また、データ収集装置３の通信装置３１は、ビーコンを受信した携帯端末４からプローブリクエスト（プローブ要求）があり、プローブリクエスト時に携帯端末４から送信されたＳＳＩＤが自己のものであるとき、認証処理に移行する。
【００３３】
データ収集装置３の通信装置３１は、携帯端末４から送信されたネットワークキーなどの認証情報が正しいものであれば、認証成立とし、認証が成立する(接続が確立する）と、作業機側情報を携帯端末４に送信する。なお、通信装置３１は、複数の携帯端末４のうち、登録された携帯端末４に対して作業機側情報を送信する設定がなされている。
例えば、図５に示すように、トラクタ２Ａに搭載された通信装置３１ａの周りに、複数（例えば、３名）の作業者Ａ、Ｂ、Ｃが所持する各携帯端末４ａ、４ｂ、４ｃがあり、このうち通信装置３１ａには、携帯端末４ａの認証情報と、携帯端末４ｃの認証情報とが登録されているとする。この場合、通信装置３１ａは、携帯端末４ａ及び携帯端末４ｃに作業機側情報を送信するが、作業機側情報を送信しない。なお、通信装置３１と携帯端末４（通信装置４１）との接続に用いる認証情報は、例えば、ＭＡＣアドレス、固有ＩＤ、ネットワークキー等などがあるが、例示したものに限定されない。また、後述する作業者特定情報を認証情報として用いてもよい。
【００３４】
次に、作業者が農作業を開始してから終了するまでの携帯端末４及びデータ収集装置３の動作について説明する。図６は、作業者が農作業を行う際での携帯端末４及びデータ収集装置３の動作をまとめたものである。
作業者は、例えば、携帯端末４に格納した農業支援ソフトを起動して、当該携帯端末４
の表示部４６に作業計画画面Ｎする（Ｓ１）。そして、作業計画画面Ｎにおいて、日付入力部Ｎ１、圃場入力部Ｎ２、機械入力部Ｎ３、作業項目入力部Ｎ４のそれぞれに、日付、圃場、農作業を行う農業機械の有無、作業項目が入力され、表示部４６に表示された登録ボタンを選択が選択されると、計画入力部４８は、入力された作業計画のデータとして記憶する（Ｓ２）。このようにすれば、例えば、作業者が農作業を行う当日、農作業を行う圃場に到着したときなどにその場で、作業計画を作成することができる。
【００３５】
次に、表示部４６の作業確認画面Ｓに表示した開始ボタン４７ａが押されると、作業指定部４５は、時計部４４の時刻を作業開始時刻とし、作業開始時刻を記憶部４３に記憶する（Ｓ３）。携帯端末４は、開始ボタン４７ａが押された時点で作業計画の遂行が開始されたとし、例えば、作業計画の遂行の開始を示すフラグを作業計画のデータと対応付けて記憶部４３に記憶する（Ｓ４）。
【００３６】
そして、作業者が農作業が終了し、表示部４６の作業確認画面Ｓに表示した終了ボタン４７ｂが押されると、作業指定部４５は、時計部４４の時刻を作業終了時刻とし、作業終了時刻を記憶部４３に記憶する（Ｓ５）。また、携帯端末４は、終了ボタン４７ｂが押された時点で作業計画の遂行が終了したとし、例えば、作業計画の遂行の終了を示すフラグを作業計画のデータと対応付けて記憶部４３に記憶する（Ｓ６）。
【００３７】
一方、携帯端末４は、上述した作業計画や農作業の開始及び終了とは独立して、通信装置３１の認証情報（例えば、ＳＳＩＤ）のサーチを行う。ここで、携帯端末４が通信装置３１の通信エリアに入り、通信装置３１から送信されたＳＳＩＤ）を受信する（Ｓ７）と、
携帯端末４は、ＳＳＩＤが予め登録されたものであるか否かを検索する（Ｓ８）。携帯端末４が受信したＳＳＩＤが当該携帯端末４に登録されている場合（Ｓ８、ｙｅｓ）、携帯端末４は、ＳＳＩＤを有する通信装置３１に対してプローブ要求等を行う（Ｓ９）。携帯端末４は、受信したＳＳＩＤが当該携帯端末４に登録されていない場合、プローブ要求を行わない。
【００３８】
さて、携帯端末４がプローブ要求後、データ収集装置３（通信装置３１）からの返答があると、携帯端末４は、記憶部４３に記憶されているネットワークキーの送信を行う（Ｓ１０）。ネットワークキーによって認証が成立する（Ｓ１１）と、データ収集装置３（通信装置３１）は、記憶部３３に記憶されている農作業データ等の作業機側情報を携帯端末４に送信する（Ｓ１２）。なお、ネットワークキー等の認証情報によって携帯端末４とデータ収集装置３との無線通信が確立後、農作業の開始の指定（作業開始時刻の入力）に関係なく、作業機側情報を携帯端末４に送信してもよいが、農作業の開始の指定が行われた後に、データ収集装置３（通信装置３１）は、携帯端末４に作業機側情報を送信するようにしてもよい。
【００３９】
携帯端末４は、データ収集装置３（通信装置３１）から作業機側情報を受信すると、受信した作業機側情報を記憶する（Ｓ１３）。携帯端末４は、上述したように、農作業の終了の指定（作業終了時刻の入力）があるか否かを判定し（Ｓ１４）する。農作業の終了の指定があると、携帯端末４は、データ収集装置３（通信装置３１）との接続を終了する（Ｓ１５）。
【００４０】
以上、農業支援システムによれば、作業計画のデータ、作業機側情報（農作業データ、作業機特定情報及びデータ検出時間）、農作業の開始及び終了を、携帯端末４に記憶させることができる。
次に、作業計画から作業報告書を作成する方法について説明する。
図７は、作業計画から作業報告書を作成する例を示したものである。
【００４１】
図７（ａ）は、携帯端末４で作成した作業計画を示し、図７（ｂ）は、携帯端末４で取得した情報に基づいて作成した作業報告書（作業報告書）を示している。
図７（ａ）に示すように、作業計画においては、日付、圃場、農業機械の有無、作業項目が決められた状態である。上述したように、携帯端末４には、作業開始時刻及び作業終了時刻が入力されることから、携帯端末４で設定された作業計画は遂行されたものとすることができる。そのため、作業計画で決定した各項目（日付、圃場、農業機械の有無、作
業項目）を、図７（ｂ）に示すように、作業報告書の各項目に置き換える（転用する）ことによって、作業計画を作業報告書にすることができる。
【００４２】
また、図７（ｂ）に示すように、作業開始時刻及び作業終了時刻を携帯端末４によって取得しているため、これらの作業開始時刻及び作業終了時刻を、作業報告書の作業時間部Ｎ１５に対応させることができるため、作業報告書における作業時間も入力することができる。作業報告書において、携帯端末４で得られた農作業データ（例えば、施肥量、収量）を整理すれば、作業報告書における作業実績Ｎ１６に、例えば、施肥量、収量、稼動時間などの実績値を入力することができる。例えば、携帯端末４等を用いて、作業開始時刻から作業終了時刻までに得られた施肥量、収量等を集計することにより、施肥量、収量を求めることができる。なお、作業報告書の項目は、作業計画同様に、上述したものに限定されない。
【００４３】
次に、携帯端末４を用いた作業報告書の作成について説明する。
携帯端末４は、作業報告書を作成するための作成用情報（作業計画のデータ、農作業データ、作業開始時刻、作業終了時刻等）を記憶しているため、携帯端末４はこれらを用いて作業報告書を作成する。
図１に示すように、携帯端末４は、作業報告書を作成する報告書作成部４９を備えている。報告書作成部４９は農業支援ソフトウェアを構成するプログラム等から構成されている。
【００４４】
農業支援ソフトウェアを起動すると、携帯端末４の報告書作成部４９は、図７（ｂ）に示したような作業報告書を入力する作業報告書作成画面Ｚを表示部４６に表示する。そして、予め作成された作業計画が計画通りに遂行されている場合、当該作業計画の作業計画のデータを読み出す。なお、作業計画が計画通りに遂行されているか否かの判断は、例えば、作業開始時刻の指定の有無（フラグの有無）、或いは、作業終了時刻の指定の有無（フラグの有無）によって行うことができる。
【００４５】
そして、報告書作成部４９は、図７（ｂ）に示したような作業報告書を入力する作業報告書作成画面Ｚにおいて、日付部Ｎ１１に作業計画の日付を入力し、圃場部Ｎ１２に作業計画の圃場を入力し、機械部Ｎ１３に作業計画の機械の有無を入力し、作業項目部Ｎ４に作業計画の作業項目を入力する。また、報告書作成部４９は、作業時間部Ｎ１５に、携帯端末４で得られた作業開始時刻及び作業終了時刻を入力する。報告書作成部４９は、作業開始時刻から作業終了時刻までに得られた施肥量を記憶部４３から読み出し、読み出した施肥量を集計する。そして、報告書作成部４９は、集計した施肥量を作業実績Ｎ１６に入力する。
【００４６】
以上、本発明によれば、作業者は、携帯端末４を用いて農作業を行うその場で作業計画を立てることができると共に、携帯端末４によって作業機側情報（農作業データ、作業機特定情報及びデータ検出時間）も取得することができる。しかも、携帯端末４によって、農作業の開始及び終了を指定することができる。そのため、例えば、作業計画、農作業データを用いることにより、作業報告書を自動的に簡単に作成することが可能となる。
【００４７】
なお、上述した実施形態では、携帯端末４によって作業報告書を作成していたが、作業者の自宅や会社に設置した設置型コンピュータ（パーソナルコンピュータ、サーバ等）で作成してもよい。この場合は、携帯端末４に記憶されている作成用情報を、有線又は無線によって設置型コンピュータに送信すればよい。
［第２実施形態］
第２実施形態は、設置型コンピュータ（パーソナルコンピュータ、サーバ等）によって、作業計画を立てることができるものである。
【００４８】
図８に示すように、農作業支援システム１は、農業機械２に搭載された通信装置（第１通信部）３１と、農業機械に搭載されたデータ収集装置（データ収集部）３と、携帯端末４と、設置型コンピュータ７とを備えている。データ収集装置３の通信装置３１、データ収集装置３は第１実施形態と同様であるため説明を省略する。
携帯端末４は、通信装置４１と、記憶部４３と、計時部４４と、作業指定部４５と、表示部４６とを備えている。記憶部４３、計時部４４及び作業指定部４５は、第１実施形態
と同様であるため説明を省略する。
【００４９】
携帯端末４の通信装置４１は、例えば、通信規格であるＩＥＥＥ８０２．１１シリーズのＷｉ-Ｆｉ（登録商標）などの無線通信を行ったり、移動体通信網（例えば、携帯電話通信網）による無線通信を行うことができる。そのため、データ収集装置３（通信装置３１）から送信された作業機側情報（農作業データ、作業機特定情報及びデータ検出時間など）を通信装置４１によって受信することができる。また、携帯端末４の通信装置４１は、作業機側情報、作業開始時刻及び作業終了時刻を、設置型コンピュータ７に送信することができる。
【００５０】
設置型コンピュータ７は、計画入力部４８と、記憶部５３とを備えている。
計画入力部４８は、第１実施形態で示した携帯端末４と同じように、作業計画画面Ｎにおいて、日付入力部Ｎ１、圃場入力部Ｎ２、機械入力部Ｎ３、作業項目入力部Ｎ４のそれぞれに、日付、圃場、農業機械の有無、作業項目が入力された後、登録ボタンを選択が選択されると、これらを作業計画のデータとして、記憶部５３に記憶する。
【００５１】
記憶部５３は、作業計画のデータ、携帯端末４の第２通信部から送信された農作業データ、作業開始時刻及び作業終了時刻（農作業の開始及び終了）を記憶する。
次に、作業者が農作業を開始してから終了するまでの設置型コンピュータ７、携帯端末４、データ収集装置３の動作について説明する。
作業者は、農作業を行う事前準備として、設置型コンピュータ７に格納した農業支援ソフトを起動する。そうすると、設置型コンピュータ７の表示部５６に、作業計画画面Ｎが表示される（Ｓ３０）。そして、作業計画画面Ｎにおいて、日付入力部Ｎ１、圃場入力部Ｎ２、機械入力部Ｎ３、作業項目入力部Ｎ４のそれぞれに、日付、圃場、農作業を行う農業機械の有無、作業項目が入力され、表示部４６に表示された登録ボタンを選択が選択されると、計画入力部４８は、入力された作業計画を保持する（Ｓ３１）。保持された作業計画は、作業計画のデータとして記憶部５３に記憶される（Ｓ３２）。
【００５２】
このように、農作業を行う事前準備として、設置側コンピュータ７を用いて作業計画をたてることができる。
次に、設置型コンピュータ７の作業計画のデータを携帯端末４に転送する（Ｓ３３）。作業計画のデータは、携帯端末４の記憶部４３に記憶される（Ｓ３４）。なお、設置型コンピュータ７から携帯端末４への作業計画のデータの転送は、有線であっても無線であってもよい。
【００５３】
作業者は、例えば、作業計画のデータを格納した携帯端末４を所持して、農作業を行う圃場に向かう。そして、携帯端末４の表示部４６に、作業計画を表示して当該作業計画の内容を確認する。ここで、表示部４６の作業確認画面Ｓに表示した開始ボタン４７ａが押されると、作業指定部４５は、時計部４４の時刻を作業開始時刻とし、作業開始時刻を記憶部４３に記憶する（Ｓ３５）。携帯端末４は、開始ボタン４７ａが押された時点で作業計画の遂行が開始されたとし、例えば、作業計画の遂行の開始を示すフラグを作業計画のデータと対応付けて記憶部４３に記憶する（Ｓ３６）。
【００５４】
そして、作業者が農作業が終了し、表示部４６の作業確認画面Ｓに表示した終了ボタン４７ｂが押されると、作業指定部４５は、時計部４４の時刻を作業終了時刻とし、作業終了時刻を記憶部４３に記憶する（Ｓ３７）。また、携帯端末４は、終了ボタン４７ｂが押された時点で作業計画の遂行が終了したとし、例えば、作業計画の遂行の終了を示すフラグを作業計画のデータと対応付けて記憶部４３に記憶する（Ｓ３８）。
【００５５】
一方、携帯端末４は、通信装置３１の認証情報（例えば、ＳＳＩＤ）のサーチを行う。携帯端末４が通信装置３１の通信エリアに入り、通信装置３１から送信されたＳＳＩＤ）を受信する（Ｓ３９）と、携帯端末４は、ＳＳＩＤが予め登録されたものであるか否かを検索する（Ｓ４０）。携帯端末４が受信したＳＳＩＤが当該携帯端末４に登録されている場合（Ｓ４０、ｙｅｓ）、携帯端末４は、ＳＳＩＤを有する通信装置３１に対してプローブ要求等を行う（Ｓ４１）。携帯端末４は、受信したＳＳＩＤが当該携帯端末４に登録されていない場合、プローブ要求を行わない。
【００５６】
携帯端末４がプローブ要求後、データ収集装置３（通信装置３１）からの返答があると
、携帯端末４は、記憶部４３に記憶されているネットワークキーの送信を行う（Ｓ４２）。ネットワークキーによって認証が成立する（Ｓ４３）と、データ収集装置３（通信装置３１）は、記憶部３３に記憶されている農作業データ等の作業機側情報を携帯端末４に送信する（Ｓ４４）。なお、ネットワークキー等の認証情報によって携帯端末４とデータ収集装置３との無線通信が確立後、農作業の開始の指定（作業開始時刻の入力）に関係なく、作業機側情報を携帯端末４に送信してもよいが、農作業の開始の指定が行われた後に、データ収集装置３（通信装置３１）は、携帯端末４に作業機側情報を送信のが望ましい。
【００５７】
携帯端末４は、データ収集装置３（通信装置３１）から作業機側情報を受信すると、信した作業機側情報を記憶する（Ｓ４５）。携帯端末４は、上述したように、農作業の終了の指定（作業終了時刻の入力）があるか否かを判定し（Ｓ４６）する。農作業の終了の指定があると、携帯端末４は、データ収集装置３（通信装置３１）との接続を終了する（Ｓ４７）。
【００５８】
第２実施形態によれば、携帯端末４の作業指定部４５によって作業開始時刻や作業終了時刻を入力するだけで、事前に設置型コンピュータで立案した作業計画の遂行を確定することができる。
設置型コンピュータ７は、自己が有する作成用情報（作業計画のデータ、農作業データ）と、携帯端末４が有する作業開始時刻及び作業終了時刻を用いて作業報告書を作成する。具体的には、図８に示すように、設置型コンピュータ７は、作業報告書を作成する報告書作成部４９を備えている。
【００５９】
まず、携帯端末４から作業計画のデータに対応する作業開始時刻及び作業終了時刻が、設置型コンピュータ７に入力されると、設置型コンピュータ７は、作業開始時刻及び作業終了時刻を作業計画のデータに対応付けて保存する。設置型コンピュータ７の報告書作成部４９は、予め格納された農業支援ソフトウェアを起動すると、作業計画のデータ及びこれに対応付けられた作業開始時刻及び作業終了時刻を記憶部５３から読み出す。
【００６０】
そして、報告書作成部４９は、図７（ｂ）に示したような作業報告書を入力する作業報告書作成画面Ｚにおいて、日付部Ｎ１１に作業計画の日付を入力し、圃場部Ｎ１２に作業計画の圃場を入力し、機械部Ｎ１３に作業計画の機械の有無を入力し、作業項目部Ｎ４に作業計画の作業項目を入力し、作業時間部Ｎ１５に、作業開始時刻及び作業終了時刻する。また、報告書作成部４９は、作業開始時刻から作業終了時刻までに得られた施肥量を記憶部４３から読み出し、読み出した施肥量を集計する。そして、報告書作成部４９は、集計した施肥量を作業実績Ｎ１６に入力する。
【００６１】
以上、本発明によれば、作業者は、設置型コンピュータ７を用いて予め作業計画をたてることができると共に、携帯端末４と連携させることにょり、作業報告書を自動的に簡単に作成することができる。
さて、図１０に示すように、携帯端末４に、作業位置を検出する位置検出装置（位置検出部）４０を設けて、農作業時の作業位置を検出できるようにしてもよい。
【００６２】
具体的には、位置検出装置４０は、衛星測位システム（Global Positioning System，Galileo、GLONASSなど）によって自己の位置（自己位置）を検出するものである。この位置検出装置４０は、測位衛星（例えば、ＧＰＳ衛星）６から送信された信号（ＧＰＳ衛星の位置、送信時刻、補正情報等）を受信し、受信した信号に基づいて自己位置（例えば、緯度、経度）を検出する。また、位置検出装置４０は、ＧＰＳ衛星６から送信された送信時刻等に基づいて自己位置を検出した時の検出時刻も求める。これにより、農作業時に作業者が携帯端末４を所持することにより、位置検出装置（位置検出部）４０が検出した自己位置を農作業時の位置（作業位置）として検出することができる。
【００６３】
例えば、位置検出装置４０は、表示部４６の作業確認画面Ｓに表示した開始ボタン４７ａが押されると、作業位置の検出を開始し、終了ボタン４７ｂが押されると、作業位置の検出を終了する。携帯端末４の記憶部４３は、上述した農作業データ、作業計画のデータの他に、農作業の開始から終了までの作業位置を記憶する。
このように、携帯端末４によって作業位置を検出すれば、農作業中の作業者の動きを把握することができる。また、農作業の開始から農作業の終了までの作業位置と、圃場毎の
位置を有する圃場マップとを用いれば、どこの圃場で農作業を行ったかを抽出することができる。
【００６４】
なお、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。上述した実施形態では、農業機械の一例としてトラクタを例にあげ説明したが、コンバインであってもよい。コンバインには、収穫した穀物のタンパク質を検出するセンサや収穫量を検出する計量器等が設けられており、コンバインに適用した場合には、収穫量、タンパク質などを農作業実績情報として取得することができ、圃場毎の収穫量やタンパク質などを整理することが可能となる。或いは、トラクタやコンバインだけでなく、農業機械は、田植機であってもよい。また、作業機として、農業機械だけでなく、バックホーの建設機械に適用してもよい。
【符号の説明】
【００６５】
１  農業管理支援システム
２  農業機械（トラクタ）
３  データ収集装置（データ収集部）
４  携帯端末
６  測位衛星
７  設置型コンピュータ
８  制御装置
１０  走行車両
１１  エンジン
１２  変速装置
１３  キャビン
１４  運転席
１５  ３点リンク機構
１６  作業装置
３１  通信装置（第１通信部）
４０  位置検出装置（位置検出部）
４１  通信装置（第２通信部）
４３  記憶部
４４  計時部
４５  作業指定部
４７ａ  開始ボタン
４７ｂ  終了ボタン
４６  表示部
４８  計画入力部
４９  報告書作成部
５３  記憶部
【図１】
2014199516.tif 000003
【図２】
2014199516.tif 000004
【図３】
2014199516.tif 000005
【図４】
2014199516.tif 000006
【図５】
2014199516.tif 000007
【図６】
2014199516.tif 000008
【図７】
2014199516.tif 000009
【図８】
2014199516.tif 000010
【図９】
2014199516.tif 000011
【図１０】
2014199516.tif 000012
【図１１】
2014199516.tif 000013